(57)【要約】【課題】  簡単な構成によって受信状態あるいは送信状態の良否を視認出来るようにする。【解決手段】  送信回路２と受信回路３とを有する送受信器本体１と、アンテナ素子７を有すると共に、送受信器本体１に接続される外部アンテナ装置５とを備え、外部アンテナ装置５内には送信回路２からアンテナ素子７に送出される送信信号及びアンテナ素子７から受信回路３に入力される受信信号によって発光するＬＥＤ９ｅを設け、ＬＥＤ９ｅを外部から視認出来るようにした。【選択図】        図１
2005123818.tif 000002
【特許請求の範囲】
【請求項１】
送信回路と受信回路とを有する送受信器本体と、アンテナ素子を有すると共に、前記送受信器本体に接続される外部アンテナ装置とを備え、前記外部アンテナ装置には前記送信回路から前記アンテナ素子に送出される送信信号及び前記アンテナ素子から前記受信回路に入力される受信信号によって発光するＬＥＤを設け、前記ＬＥＤを外部から視認出来るようにしたことを特徴とする無線通信装置。
【請求項２】
前記アンテナ装置には前記アンテナ素子を前記送受信器本体に接続する給電線路と、前記ＬＥＤを直列に介挿した閉ループ回路とを設け、前記閉ループ回路を前記給電線路に結合したことを特徴とする請求項１に記載の無線通信装置。
【請求項３】
前記閉ループ回路は前記給電線路に結合するように平行に配置された結合線路と、その両端に直列接続された抵抗とを有し、前記二つの抵抗の間に前記ＬＥＤを介挿したことを特徴とする請求項２に記載の無線通信装置。
【請求項４】
前記外部アンテナ装置内には前記アンテナ素子を搭載する基板を収納し、前記基板上に前記給電線路と前記閉ループ回路とを構成したことを特徴とする請求項２又は３に記載の無線通信装置。
【請求項５】
前記ＬＥＤに検波用のダイオードを直列に介挿したことを特徴とする請求項２乃至４のいずれかに記載の無線通信装置。
【発明の詳細な説明】
【技術分野】
【０００１】
本発明は無線通信装置に関し、詳しくは、受信状態或いは送信状態の良否及びその程度を視認出来るようにした無線通信装置に関する。
【背景技術】
【０００２】
従来の無線通信装置を図４及び図５に従って説明する。図４は従来の無線通信装置の外観図、図５は従来の無線通信装置のブロック構成図である。
【０００３】
図３及び図４において、アンテナアレイ１０２は無線通信装置１０１本体に取り付けられ、各回路は本体１０１に構成される。先ず、通信を開始し送信回路１０８より送信波が出力され、ドライバー回路１０６に対して送信信号が出力されると、ドライバー回路１０６は発光体１０７内のランプを点灯する。ランプは発光体１０７内に送信用として割り当てられている。
【０００４】
また、受信においては、アンテナアレイ１０２の各アンテナより受信された電波を、各々受信回路１０３と１０４が受信検出する。その受信レベルを受信判定回路１０５が判定し、レベルの高いアンテナを選択し受信波を復調回路１０９に送出する。また、受信判定回路１０５は、このとき選択したアンテナの情報をドライバー回路１０６に送出する。これを受けたドライバー回路１０６は、各アンテナ毎に割り当てられた発光体１０７のうちの選択されたアンテナのランプを点灯させる。このランプ点灯による光は、光ファイバー等（図示せず）を通して外部に伝えられる。
【０００５】
そして、例えば、受信回路１０３が選択され続けるとそのランプが点灯し続ける。もし、受信状態に変化が起こり受信回路１０４の受信強度が大きくなると受信判定回路１０５は復調回路１０９に対し、受信回路１０４からの信号を送出し、ドライバー回路１０６に新たにアンテナ選択情報を送出する。これを受けたドライバー回路１０６は、現在点灯しているランプを消灯し、新たに選択されたアンテナに割り当てられた発光体を点灯させる（例えば、特許文献１参照。）。
【０００６】
【特許文献１】特開平０６−２１６６１８号公報（図１、図２）
【発明の開示】
【発明が解決しようとする課題】
【０００７】
従来の無線通信装置では、アンテナを発光させるためにドライバー回路を設けているので高価となる。また、受信状態あるいは送信状態の良否までは視認できなかった。
【０００８】
本発明は、簡単な構成によって受信状態あるいは送信状態の良否を視認出来るようにすることを目的とする。
【課題を解決するための手段】
【０００９】
上記課題を解決する手段として、送信回路と受信回路とを有する送受信器本体と、アンテナ素子を有すると共に、前記送受信器本体に接続される外部アンテナ装置とを備え、前記外部アンテナ装置内には前記送信回路から前記アンテナ素子に送出される送信信号及び前記アンテナ素子から前記受信回路に入力される受信信号によって発光するＬＥＤを設け、前記ＬＥＤを外部から視認出来るようにした。
【００１０】
また、前記アンテナ装置には前記アンテナ素子を前記送受信器本体に接続する給電線路と、前記ＬＥＤを直列に介挿した閉ループ回路とを設け、前記閉ループ回路を前記給電線路に結合した。
【００１１】
また、前記閉ループ回路は前記給電線路に結合するように平行に配置された結合線路と、その両端に直列接続された抵抗とを有し、前記二つの抵抗の間に前記ＬＥＤを介挿した。
【００１２】
また、前記外部アンテナ装置内には前記アンテナ素子を搭載する基板を収納し、前記基板上に前記給電線路と前記閉ループ回路とを構成した。
【００１３】
また、前記ＬＥＤに検波用のダイオードを直列に介挿した。
【発明の効果】
【００１４】
本発明は、送受信器本体と、外部アンテナ装置とを備え、外部アンテナ装置内には送信回路からアンテナ素子に送出される送信信号及びアンテナ素子から受信回路に入力される受信信号によって発光するＬＥＤを設け、ＬＥＤを外部から視認出来るようにしたので、送信信号又は受信信号の強弱に応じた光量でＬＥＤが発光し、これを外部から確認することができる。よって、送信状態又は受信状態の善し悪しによって外部アンテナの向きを変えることで最良の送信状態或いは受信状態とすることが出来る。
【００１５】
また、アンテナ装置にはアンテナ素子を送受信器本体に接続する給電線路と、ＬＥＤを直列に介挿した閉ループ回路とを設け、閉ループ回路を給電線路に結合したので、送信信号又は受信信号によってＬＥＤを直接発光させることができる。
【００１６】
また、閉ループ回路は給電線路に結合するように平行に配置された結合線路と、その両端に直列接続された抵抗とを有し、二つの抵抗の間に前記ＬＥＤを介挿したので、給電線路のインピーダンスが大きく変化することはない。
【００１７】
また、外部アンテナ装置内にはアンテナ素子を搭載する基板を収納し、基板上に給電線路と閉ループ回路とを構成したので、給電線路と閉ループ回路とを容易に結合できる。
【００１８】
また、ＬＥＤに検波用のダイオードを直列に介挿したので、検波感度を高くできる。
【発明を実施するための最良の形態】
【００１９】
本発明の無線通信装置を図１乃至図３によって説明する。図１は本発明の無線通信装置の外観図、図２はブロック構成図、図３は外部アンテナ装置の内部の斜視図である。図１乃図３において、例えば無線ＬＡＮ用のカード型の送受信器本体１の側面には外部アンテナ装置２を接続するためのコネクタ１ａが取り付けられ、その内部には送信回路２と受信回路３とが構成される。そして、送信回路２及びび受信回路３はアンテナ切替スイッチ４等を介してコネクタ１ａに接続される。この送受信器本体１は、コネクタ１ａが外部に突出する状態でパソコンに装着されて使用される。
【００２０】
外部アンテナ装置５は、図１に示すように蒲鉾型の形状をなし、その表面は樹脂ケースによって覆われ、その側面には送受信器本体１との接続のためのコネクタ５ａが取り付けられ、上面には透明なアクリル板（図示せず）で塞がれた小さな窓５ｂが設けられる。また、外部アンテナ装置５の内部には基板６が収納され、基板６上にはアンテナ素子７が搭載される。アンテナ素子７は誘電体ブロック７ａとその表面に被着されたミアンダ形状のアンテナ線路７ｂとから構成される。アンテナ線路７ｂは基板６上に配設された給電線路８に接続される。そして、この給電線路８がコネクタ５ａに接続される。
【００２１】
また、基板２ｃ上には、給電線路８に結合された閉ループ回路９が構成される。閉ループ回路９は、給電線路８と結合するように平行に配設された結合線路９ａと、その両端に直列接続された抵抗９ｂ、９ｃと共に閉ループを構成する検波ダイオード９ｄ及びＬＥＤ（発光素子）９ｅとからなる。そして、ＬＥＤ９ｅは窓５ｂの直下で基板６上に取り付けられるか又は窓５ｂの内側でケースに取り付けられる。
【００２２】
送受信器本体１と外部アンテナ装置５とはケーブル１０によって相互に接続される。ケーブル１０の両端にはそれぞれコネクタ１０ａ、１０ｂが取り付けられ、コネクタ１０ａが送受信器本体１のコネクタ１ａに接続され、コネクタ１０ｂが外部アンテナ装置５のコネクタ５ａに接続される。
【００２３】
上記構成において、外部アンテナ装置５が送受信器本体１に接続されると、送信回路２から出力される送信信号及びアンテナ素子７で受信された受信信号は給電線路８を通過するが、給電線路８には閉ループ回路９の結合線路９ａが結合しているので、これに電流が流れ、検波ダイオード９ｄによって送信信号や受信信号が検波される。そして、検波電圧によってＬＥＤ９ｅが点灯する。ＬＥＤ９ｅが発光する光量は送信信号又は受信信号の強度に比例する。この発光状態は外部アンテナ装置６に設けた窓５ｂか容易に視認できる。よって、光量の大小によって信号の強弱が判断できるので、外部アンテナ５の向きを変えることで最良の受信状態又は送信状態を得ることが出来る。
【００２４】
よって、ＬＥＤ９ｅは送信信号又は受信信号をエネルギー源として発光するので、ＬＥＤ９ｅを閉ループ９内に介挿するだけでよい。また、結合線路９ａの両端に抵抗９ｂ、９ｃが接続されているので、給電線路８のインピーダンスが大きく変化することはない。なお、検波用ダイオード９ｄを用いないで直接ＬＥＤ９ｅによって検波することで発光させることも可能である。
【図面の簡単な説明】
【００２５】
【図１】本発明の無線通信装置の外観図である。
【図２】本発明の無線通信装置のブロック構成図である。
【図３】本発明の無線通信装置における外部アンテナ装置の内部の斜視図である。
【図４】従来の無線通信装置の外観図である。
【図５】従来の無線通信装置のブロック構成図である。
【符号の説明】
【００２６】
１：送受信器本体
１ａ：コネクタ
２：送信回路
３：受信回路
４：アンテナスイッチ
５：外部アンテナ装置
５ａ：コネクタ
５ｂ：窓
６：基板
７：アンテナ素子
７ａ：誘電体ブロック
７ｂ：アンテナ線路
８：給電線路
９：閉ループ回路
９ａ：結合線路
９ｂ、９ｃ：抵抗
９ｄ：検波ダイオード
９ｅ：ＬＥＤ
１０：ケーブル
１０ａ、１０ｂ：コネクタ
【図１】
2005123818.tif 000003
【図２】
2005123818.tif 000004
【図３】
2005123818.tif 000005
【図４】
2005123818.tif 000006
【図５】
2005123818.tif 000007